(57)【特許請求の範囲】
【請求項１】
所定の変調方式を用いて変調された光信号を復調する復調部と、当該復調部から出力される復調データの補正を行う第１補正部と、当該第１補正部で補正された復調データの同期状態を検出する第１検出部と、当該第１検出部から出力される信号を用いて所定の測定を行う測定部とを備える光信号解析装置において、
前記第１補正部とは別個に、前記復調部から出力される前記復調データの補正を行う第２補正部と、
前記第２補正部で補正された復調データの同期状態を検出する第２検出部と、
前記第１検出部によって非同期状態が検出された場合に、前記第１補正部で行われる補正内容を維持し、前記第１検出部による前記非同期状態の検出が一定時間継続される毎に、前記第２検出部によって同期状態が検出されるまで、前記第２補正部で行われる前記復調データに対する補正内容を変更する制御を行い、前記第２検出部によって同期状態が検出されたときには、前記第２補正部で行われている補正内容を前記第１補正部に適用する制御を行う制御部と
を備えることを特徴とする光信号解析装置。
【請求項２】
前記制御部は、前記第１検出部によって非同期状態が検出された場合に、前記第１検出部によって同期状態が検出されたときには、前記第１補正部で行われている補正内容を前記第２補正部に適用する制御を行うことを特徴とする請求項１記載の光信号解析装置。
【請求項３】
前記光信号は、差動４相位相偏移変調方式を用いて変調された光信号であることを特徴とする請求項１又は請求項２記載の光信号解析装置。
【発明の詳細な説明】
【技術分野】
【０００１】
本発明は、所定の変調方式を用いて変調された光信号の解析を行う光信号解析装置に関する。
【背景技術】
【０００２】
近年、従来の電話網の信頼性・安定性を確保しつつ、ＩＰ（Internet Protocol）ネットワークの柔軟性・経済性を備えた次世代の情報通信ネットワーク（ＮＧＮ：Next Generation Network）の実現に向けた研究・開発が盛んに行われている。この次世代の情報通信ネットワークの基盤となる光通信ネットワークでは、差動４相位相偏移変調（ＤＱＰＳＫ：Differential Quadrature Phase Shift Keying）等の位相偏移変調方式を用いて変調された光信号（変調データ）を送受信することで、最大伝送速度が例えば４０Ｇｂｐｓ（bit per second）である長距離大容量通信が実現される。光信号解析装置は、上記の光通信ネットワークに設けられるトランスポンダや終端装置等の機器から出力される変調データを解析するために用いられる。
【０００３】
図５は、従来の光信号解析装置の要部構成を示すブロック図である。図５に示す通り、従来の光信号解析装置１００は、トランスポンダ１１０、復調補正部１２０、フレーム同期部１３０、測定部１４０、及び補正制御部１５０を備えており、トランスポンダや終端装置等の被試験デバイス（以下、ＤＵＴ（Device Under Test）という）２００から出力される変調データＬ１００の解析を行う。尚、ＤＵＴ２００は、送信すべきデータをフレーム形式のデータに変換してからＤＱＰＳＫ方式の変調を行ったデータを変調データＬ１００として出力する。
【０００４】
トランスポンダ１１０は、位相干渉計（図示省略）を備えており、ＤＵＴ２００から出力される変調データＬ１００の復調を行って復調データＤ１００を出力する。復調補正部１２０は、スワップ回路１２１、奇数ビット反転回路１２２、及び偶数ビット反転回路１２３を備えており、トランスポンダ１１０から出力される復調データＤ１００に対して所定のビット操作を行うことによって復調データＤ１００を補正した非同期フレームデータＤ１０１を出力する。具体的に、スワップ回路１２１は、ＤＱＰＳＫ方式の変調が行われた変調データＬ１００の４つの位相にそれぞれ割り当てられた２ビットのデータを交換（スワップ）し、奇数ビット反転回路１２２はその２ビットのデータの奇数ビットを反転し、偶数ビット反転回路１２３はその２ビットのデータの偶数ビットを反転する。
【０００５】
フレーム同期部１３０は、復調補正部１２０から出力される非同期フレームデータＤ１０１のフレーム同期をとって同期フレームデータＤ１０２を測定部１４０に出力する。また、フレーム同期部１３０は、非同期フレームデータＤ１のフレーム同期外れ（ＯＯＦ：Out Of Frame）が生じているか否かを検出し、フレーム同期外れが生じている状態（ＯＯＦ状態）又はフレーム同期がとれた状態（ＩＦ（In Frame）状態）を示す検出信号Ｓ１００を出力する。
【０００６】
測定部１４０は、フレーム同期部１３０からの同期フレームデータＤ１０２及び検出信号Ｓ１００を入力としており、フレーム同期外れの状態（ＯＯＦ状態）が継続される時間の測定や、フレーム内におけるアラームやエラーの検出を行う。補正制御部１５０は、フレーム同期部１３０からの検出信号Ｓ１００に基づいて、復調補正部１２０で行われるビット操作の組み合わせを制御する制御信号Ｃ１０１〜Ｃ１０３を出力する。
【０００７】
上記構成において、ＤＵＴ２００から出力された変調データＬ１００は、光信号解析装置１００のトランスポンダ１１０に入力されて復調され、トランスポンダ１１０からは復調信号Ｄ１００が出力される。この復調信号Ｄ１００は、復調補正部１２０に入力されて所定のビット操作がなされた後に非同期フレームデータＤ１０１として出力される。非同期フレームデータＤ１０１はフレーム同期部１３０に入力されてフレーム同期をとる処理が行われる。
【０００８】
ここで、仮にフレーム同期がとれたとすると、フレーム同期部１３０から測定部１４０に同期フレームデータＤ１０２が出力されるとともに、フレーム同期部１３０から測定部１４０及び補正制御部１５０にＩＦ状態を示す検出信号Ｓ１００が出力される。そして、これら同期フレームデータＤ１０２及び検出信号Ｓ１００に基づいて、測定部１４０においてフレーム内におけるアラームやエラーの検出等が行われる。
【０００９】
これに対し、フレーム同期がとれない場合には、フレーム同期部１３０から測定部１４０及び補正制御部１５０にＯＯＦ状態を示す検出信号Ｓ１００が出力される。このＯＯＦ状態を示す検出信号Ｓ１００が一定時間継続して出力されると、補正制御部１５０によって復調補正部１２０で行われるビット操作の組み合わせを変更する制御が行われる。尚、変更後においてもＯＯＦ状態を示す検出信号Ｓ１００が一定時間継続された場合には、再度組み合わせを変更する制御が行われる。
【００１０】
尚、従来の光信号解析装置の詳細については、例えば、以下の特許文献１を参照されたい。
【特許文献１】特開２００６−２７０９０９号公報
【発明の開示】
【発明が解決しようとする課題】
【００１１】
ところで、図５に示す光信号解析装置１００において、フレーム同期部１３０からＯＯＦ状態を示す検出信号Ｓ１００が出力されるのは、（１）光ファイバの抜き差し等により変調データＬ１００が遮断された場合、又は（２）フレーム同期部１３０でＯＯＦ状態になるような（例えば、ＡＩＳ（Alarm Indication Signal：警報表示信号）等の）パターン（以下、ＯＯＦパターンという）が変調データＬ１００としてＤＵＴ２００から出力された場合等が挙げられる。
【００１２】
しかしながら、光信号解析装置１００ではＯＯＦ状態を示す検出信号Ｓ１００が得られたときに、上記（１），（２）の何れが原因であるかを切り分けることができない。このため、従来の光信号解析装置１００では、ＯＯＦ状態を示す検出信号Ｓ１００が得られたときには、その原因に拘わらず復調補正部１２０におけるビット操作の組み合わせを変える制御が不用意に行われるため、フレーム同期がとれた状態（ＩＦ状態）になるまでに時間がかかり、しかもその間はフレームの解析を正確に行うことができないという問題があった。
【００１３】
図６は、従来の光信号解析装置において、ＩＦ状態になるまでに時間を要する理由を説明するための図である。いま、図６に示す通り、時刻ｔ１０１〜ｔ１０２間において、上記の（２）に示す原因によってＤＵＴ２００からＯＯＦパターンが変調データＬ１００として出力された場合の光信号解析装置１００の動作について考える。尚、時刻ｔ１０１よりも前の時点、又は時刻ｔ１０２よりも後の時点においては、フレーム同期部１３０でＩＦ状態になり得るフレームパターン（以下、ＩＦパターンという）が変調データＬ１００としてＤＵＴ２００から出力されるものとする。
【００１４】
また、制御信号Ｃ１０１〜Ｃ１０３は、前述した通り、スワップ回路１２１における２ビットのデータの交換（スワップ）を行うか否か、奇数ビット反転回路１２２における奇数ビットの反転を行うか否か、偶数ビット反転回路１２３における偶数ビットの反転を行うか否かをそれぞれ制御するものである。このため、復調補正部１２０で行われるビット操作の組み合わせは、２３＝８通り（図６に示す組み合わせＣＢ１〜ＣＢ８）である。尚、以下の説明では、制御信号Ｃ１０１〜Ｃ１０３の組み合わせが「ＣＢ１」に設定されているときにＩＦ状態になるものとする。
【００１５】
時刻ｔ１０１よりも前の時点では、ＩＦパターンが変調信号Ｌ１００として出力されており、制御信号Ｃ１０１〜Ｃ１０３の組み合わせが「ＣＢ１」に設定されている。よって、フレーム同期部１３０からはＩＦ状態を示す検出信号Ｓ１００が出力される。次に、時刻ｔ１０１になると、ＤＵＴ２００からＯＯＦパターンが変調信号Ｌ１００として出力される。すると、フレーム同期部１３０からはＯＯＦ状態を示す検出信号Ｓ１００が出力される。このＯＯＦ状態を示す検出信号Ｓ１００が一定時間Ｔ１００の間継続されると、補正制御部１５０によって制御信号Ｃ１０１〜Ｃ１０３の組み合わせが「ＣＢ２」に変更される。
【００１６】
制御信号Ｃ１０１〜Ｃ１０３の組み合わせを「ＣＢ２」に変更した後も、ＯＯＦ状態を示す検出信号Ｓ１００が一定時間Ｔ１００の間継続されると、補正制御部１５０によって制御信号Ｃ１０１〜Ｃ１０３の組み合わせが「ＣＢ３」に変更される。以下、同様に、ＯＯＦ状態を示す検出信号が一定時間Ｔ１００継続される度に、制御信号Ｃ１０１〜Ｃ１０３の組み合わせが順次変更される。
【００１７】
次いで、時刻ｔ１０２になるとＤＵＴ２００からＩＦパターンが変調信号Ｌ１００として出力されるが、制御信号Ｃ１０１〜Ｃ１０３の組み合わせが「ＣＢ４」であるためＩＦ状態にはならず、フレーム同期部１３０からはＯＯＦ状態を示す検出信号Ｓ１００の出力が継続される。ここで、図６に示す通り、制御信号Ｃ１０１〜Ｃ１０３の組み合わせが「ＣＢ５」〜「ＣＢ８」の順で順次変更されてもＩＦ状態になることがなく、フレーム同期部１３０からはＯＯＦ状態を示す検出信号Ｓ１００の出力が継続される。そして、時刻ｔ１０３で制御信号Ｃ１０１〜Ｃ１０３の組み合わせが「ＣＢ１」に変更されると、フレーム同期部１３０からはＩＦ状態を示す検出信号Ｓ１００が出力される。
【００１８】
このように、復調補正部１２０で行われるビット操作の組み合わせを不用意に変更してしまうと、ＤＵＴ２００からＩＦパターンの出力が再開されても、その再開された時刻ｔ１０２から制御信号Ｃ１０１〜Ｃ１０３の組み合わせが「ＣＢ１」に設定される時刻ｔ１０３までの期間Ｔ１０１はＯＯＦ状態が継続されるため、ＩＦ状態になるまでに時間がかかる。しかも、この間はフレームの解析を正確に行うことができない。
【００１９】
本発明は上記事情に鑑みてなされたものであり、短時間で且つ正確に同期検出を行うことができる光信号解析装置を提供することを目的とする。
【課題を解決するための手段】
【００２０】
上記課題を解決するために、本発明の光信号解析装置は、所定の変調方式を用いて変調された光信号（Ｌ１、Ｌ２）を復調する復調部（１０）と、当該復調部から出力される復調データ（Ｄ１）の補正を行う第１補正部（２０ａ）と、当該第１補正部で補正された復調データ（Ｄ２、Ｄ１１）の同期状態を検出する第１検出部（３０ａ、７１ａ、７２ａ）と、当該第１検出部から出力される信号を用いて所定の測定を行う測定部（４０、８０）とを備える光信号解析装置（１、２）において、前記第１補正部とは別個に、前記復調部から出力される前記復調データの補正を行う第２補正部（２０ｂ）と、前記第２補正部で補正された復調データ（Ｄ３、Ｄ１２）の同期状態を検出する第２検出部（３０ｂ、７１ｂ、７２ｂ）と、前記第１検出部によって非同期状態が検出された場合に、前記第１補正部で行われる補正内容を維持し、前記第１検出部による前記非同期状態の検出が一定時間継続される毎に、前記第２検出部によって同期状態が検出されるまで、前記第２補正部で行われる前記復調データに対する補正内容を変更する制御を行い、前記第２検出部によって同期状態が検出されたときには、前記第２補正部で行われている補正内容を前記第１補正部に適用する制御を行う制御部（５０）とを備えることを特徴としている。
この発明によると、所定の変調方式を用いて変調された光信号が復調部で復調され、復調部から出力された復調データが第１，第２補正部でそれぞれ別個に補正され、その後に補正された復調データの同期状態が第１，第２検出部でそれぞれ検出され、第１検出部によって非同期状態が検出された場合には、第１補正部で行われる補正内容が維持され、第１検出部による非同期状態の検出が一定時間継続される毎に、第２検出部によって同期状態が検出されるまで、第２補正部で行われる復調データに対する補正内容を変更する制御が行われ、第２検出部によって同期状態が検出されると、第２補正部で行われている補正内容を第１補正部に適用する制御が制御部によって行われる。
また、本発明の光信号解析装置は、前記制御部が、前記第１検出部によって非同期状態が検出された場合に、前記第１検出部によって同期状態が検出されたときには、前記第１補正部で行われている補正内容を前記第２補正部に適用する制御を行うことを特徴としている。
また、本発明の光信号解析装置は、前記光信号が、差動４相位相偏移変調方式を用いて変調された光信号であることを特徴としている。
【発明の効果】
【００２１】
本発明によれば、所定の変調方式を用いて変調された光信号を復調部で復調し、復調部から出力された復調データを第１，第２補正部でそれぞれ別個に補正し、その後に補正された復調データの同期状態を第１，第２検出部でそれぞれ検出し、第１検出部によって非同期状態が検出された場合には、第１補正部で行われる補正内容を維持し、第１検出部による非同期状態の検出が一定時間継続される毎に、第２検出部によって同期状態が検出されるまで、第２補正部で行われる復調データに対する補正内容を変更する制御を行い、第２検出部によって同期状態が検出されると、第２補正部で行われている補正内容を第１補正部に適用する制御を行っている。かかる制御により、測定部で用いられる信号（第１検出部から出力される信号）の内容が第１補正部で不用意に変更されることがないため、短時間で且つ正確に同期検出を行うことができるという効果がある。
【発明を実施するための最良の形態】
【００２２】
以下、図面を参照して本発明の実施形態による光信号解析装置について詳細に説明する。
【００２３】
〔第１実施形態〕
図１は、本発明の第１実施形態による光信号解析装置の要部構成を示すブロック図である。図１に示す通り、本実施形態の光信号解析装置１は、トランスポンダ１０（復調部）、復調補正部２０ａ（第１補正部）、復調補正部２０ｂ（第２補正部）、フレーム同期部３０ａ（第１検出部）、フレーム同期検出部３０ｂ（第２検出部）、測定部４０、及び補正制御部５０（制御部）を備えており、トランスポンダや終端装置等のＤＵＴ６０から出力される変調データＬ１（光信号）の解析を行う。
【００２４】
尚、光信号解析装置１は、ＤＵＴ６０に与える試験信号（試験用のフレーム）を送信する送信機能と、ＤＵＴ６０から出力される変調データＬ１を受信して解析する受信機能とを備えるが、図１においては受信機能に係る構成のみを図示している。また、ＤＵＴ６０は、送信すべきデータをフレーム形式のデータに変換してから差動４相位相偏移変調方式（ＤＱＰＳＫ方式）の変調を行ったデータを変調データＬ１として出力するものであるとする。
【００２５】
トランスポンダ１０は、ＤＵＴ６０から出力される変調データＬ１の復調を行って復調データＤ１を出力する。復調補正部２０ａは、スワップ回路２１ａ、奇数ビット反転回路２２ａ、及び偶数ビット反転回路２３ａを備えており、トランスポンダ１０から出力される復調データＤ１に対して所定のビット操作を行うことによって復調データＤ１を補正した非同期フレームデータＤ２を出力する。具体的に、スワップ回路２１ａは、ＤＱＰＳＫ方式の変調が行われた変調データＬ１の４つの位相にそれぞれ割り当てられた２ビットのデータを交換（スワップ）し、奇数ビット反転回路２２ａはその２ビットのデータの奇数ビットを反転し、偶数ビット反転回路２３ａはその２ビットのデータの偶数ビットを反転する。この復調補正部２０ａは、トランスポンダ１０での復調誤りを補正するために設けられる。
【００２６】
フレーム同期部３０ａは、復調補正部２０ａから出力される非同期フレームデータＤ２のフレーム同期をとって同期フレームデータＤ４を測定部４０に出力する。また、フレーム同期部３０ａは、非同期フレームデータＤ２のフレーム同期外れ（ＯＯＦ）が生じているか否かを検出し、フレーム同期外れが生じている状態（ＯＯＦ状態）又はフレーム同期がとれた状態（ＩＦ状態）を示す検出信号Ｓ１を出力する。測定部４０は、フレーム同期部３０ａからの同期フレームデータＤ４及び検出信号Ｓ１を入力としており、フレーム同期外れの状態（ＯＯＦ状態）が継続される時間の測定や、フレーム内におけるアラームやエラーの検出を行う。
【００２７】
復調補正部２０ｂは、復調補正部２０ａと同様に、トランスポンダ１０での復調誤りを補正するために設けられるものであるが、復調補正部２０ａとは別個に、トランスポンダ１０から出力される復調データＤ１に対して所定のビット操作を行うことによって復調データＤ１を補正した非同期フレームデータＤ３を出力する。この復調補正部２０ｂは、復調補正部２０ａと同様に、ＤＱＰＳＫ方式の変調が行われた変調データＬ１の４つの位相にそれぞれ割り当てられた２ビットのデータを交換（スワップ）するスワップ回路２１ｂ、その２ビットのデータの奇数ビットを反転する奇数ビット反転回路２２ｂ、及びその２ビットのデータの偶数ビットを反転する偶数ビット反転回路２３ａを備える。
【００２８】
フレーム同期検出部３０ｂは、非同期フレームデータＤ３のフレーム同期外れ（ＯＯＦ）が生じているか否かを検出し、フレーム同期外れが生じている状態（ＯＯＦ状態）又はフレーム同期がとれた状態（ＩＦ状態）を示す検出信号Ｓ２を出力する。補正制御部５０は、フレーム同期部３０ａからの検出信号Ｓ１及びフレーム同期検出部３０ｂからの検出信号Ｓ２に基づいて、復調補正部２０ａで行われるビット操作の組み合わせを制御する制御信号Ｃ１１〜Ｃ１３を出力するとともに、復調補正部２０ｂで行われるビット操作の組み合わせを制御する制御信号Ｃ２１〜Ｃ２３を出力する。
【００２９】
ここで、制御信号Ｃ１１〜Ｃ１３は、復調補正部２０ａに設けられたスワップ回路２１ａにおける２ビットのデータの交換（スワップ）を行うか否か、奇数ビット反転回路２２ａにおける奇数ビットの反転を行うか否か、偶数ビット反転回路２３ａにおける偶数ビットの反転を行うか否かをそれぞれ制御するものである。また、制御信号Ｃ２１〜Ｃ２３は、復調補正部２０ｂに設けられたスワップ回路２１ｂにおける２ビットのデータの交換（スワップ）を行うか否か、奇数ビット反転回路２２ｂにおける奇数ビットの反転を行うか否か、偶数ビット反転回路２３ｂにおける偶数ビットの反転を行うか否かをそれぞれ制御するものである。このため、復調補正部２０ａ，２０ｂで行われるビット操作の組み合わせは、それぞれ２３＝８通りである。
【００３０】
具体的に、補正制御部５０は、フレーム同期部３０ａからＯＯＦ状態を示す検出信号Ｓ１が出力された場合には、制御信号Ｃ２１〜Ｃ２３の少なくとも１つを出力して復調補正部２０ｂで行われるビット操作の組み合わせを変更する制御を行う。また、かかる制御を行った後に、フレーム同期部３０ａからＯＯＦ状態を示す検出信号Ｓ１の出力が一定時間継続される毎に、制御信号Ｃ２１〜Ｃ２３の少なくとも１つを出力して復調補正部２０ｂで行われるビット操作の組み合わせを変更する制御を行う。
【００３１】
更に、補正制御部５０は、フレーム同期部３０ａからＯＯＦ状態を示す検出信号Ｓ１が出力された後に、フレーム同期検出部３０ｂからＩＦ状態を示す検出信号Ｓ２が出力された場合には、復調補正部２０ｂで行われるビット操作の内容を復調補正部２０ａに適用する制御を行う。逆に、フレーム同期部３０ａからＯＯＦ状態を示す検出信号Ｓ１が出力された後に、フレーム同期検出部３０ａからＩＦ状態を示す検出信号Ｓ１が出力された場合には、復調補正部２０ａで行われるビット操作の内容を復調補正部２０ｂに適用する制御を行う。
【００３２】
次に、上記構成における光信号解析装置１の動作について説明する。ＤＵＴ６０から出力された変調データＬ１は、光信号解析装置１のトランスポンダ１０に入力されて復調され、トランスポンダ１０からは復調信号Ｄ１が出力される。この復調信号Ｄ１は、復調補正部２０ａ，２０ｂにそれぞれ入力されて所定のビット操作がなされる。復調補正部２０ａでビット操作された復調信号Ｄ１は非同期フレームデータＤ２として出力され、復調補正部２０ｂでビット操作された復調信号Ｄ１は非同期フレームデータＤ３として出力される。
【００３３】
復調補正部２０ａから出力された非同期フレームデータＤ２はフレーム同期部３０ａに入力されてフレーム同期外れ（ＯＯＦ）が生じているか否かが検出されるとともにフレーム同期をとる処理が行われる。そして、復調補正部２０ａから出力される同期フレームデータＤ４及び検出信号Ｓ１が測定部４０に入力され、フレーム同期外れの状態（ＯＯＦ状態）が継続される時間の測定や、フレーム内におけるアラームやエラーの検出が行われる。一方、復調補正部２０ｂから出力された非同期フレームデータＤ３はフレーム同期検出部３０ｂに入力され、フレーム同期外れ（ＯＯＦ）が生じているか否かが検出される。
【００３４】
図２は、本発明の第１実施形態による光信号解析装置１が備える補正制御部５０の動作を示すフローチャートである。まず、補正性制御部５０は、フレーム同期部３０ａからＯＯＦ状態を示す検出信号Ｓ１が出力されたか否かを判断する（ステップＳ１１）。この判断結果が「ＮＯ」である場合にはステップＳ１１の判断を繰り返す。他方、ステップＳ１１の判断結果が「ＹＥＳ」になると、補正制御部５０はフレーム同期部３０ａから出力される検出信号Ｓ１及びフレーム同期検出部３０ｂから出力される検出信号Ｓ２を参照しつつステップＳ１２〜Ｓ１５に示す一連の処理と、ステップＳ１６，１７に示す一連の処理とを並行して行う。
【００３５】
ステップＳ１２〜Ｓ１５に示す一連の処理では、まず補正制御部５０によってＯＯＦ状態を示す検出信号Ｓ１が出力されてから一定時間経過したか否かが判断される（ステップＳ１２）。ここで、ステップＳ１２における一定時間は、フレーム同期検出部３０ｂでフレーム同期外れ（ＯＯＦ）が生じているか否かを検出するのに要する時間等を考慮して設定される。
【００３６】
ステップＳ１２における判断結果が「ＮＯ」である場合にはステップＳ１２の判断を繰り返す。他方、ステップＳ１２の判断結果が「ＹＥＳ」になると、補正制御部５０は制御信号Ｃ２１〜Ｃ２３の少なくとも１つを出力して復調補正部２０ｂで行われるビット操作の組み合わせを変更する制御を行う（ステップＳ１３）。例えば、復調補正部２０ｂにおいて、スワップ回路２１ｂによる２ビットのデータの交換（スワップ）のみが行われていた場合には、制御信号Ｃ２２を出力して、スワップ回路２１ｂによる２ビットのデータの交換（スワップ）と奇数ビット判定回路２２ｂによる奇数ビットの反転とが行われるように制御する。
【００３７】
以上の制御が終了してから所定時間が経過すると、補正制御部５０によって、フレーム同期検出部３０ｂからＩＦ状態を示す検出信号Ｓ２が出力されたか否かが判断される（ステップＳ１４）。ここで、ステップＳ１３の終了後に所定の時間が経過してから上記の判断を行うのは、フレーム同期検出部３０ｂでの同期検出に要する時間を考慮したためである。上記の所定時間は、例えば１５フレーム分の非同期フレームデータＤ３がフレーム検出部３０ｂに入力されるのに要する時間に設定される。
【００３８】
ステップＳ１４の判断結果が「ＮＯ」である場合にはステップＳ１２に戻り、その時点（処理がステップＳ１４からステップＳ１２に戻った時点）から一定時間が経過したか否かが判断される。他方、フレーム同期検出部３０ｂからＩＦ状態を示す検出信号Ｓ２が出力されると、ステップＳ１４の判断結果は「ＹＥＳ」になり、補正制御部５０によって復調補正部２０ｂで行われるビット操作の内容を復調補正部２０ａに適用する制御が行われる（ステップＳ１５）。
【００３９】
具体的には、補正制御部５０から復調補正部２０ａに出力されている制御信号Ｃ１１〜Ｃ１３を、補正制御部５０から復調補正部２０ｂに出力されている制御信号Ｃ２１〜Ｃ２３と同じにする。例えば、補正制御部５０から復調補正部２０ｂに対して２つの制御信号Ｃ２１，Ｃ２２が出力されている場合には、補正制御部５０から復調補正部２０ａに対しても２つの制御信号Ｃ１１，Ｃ１２を出力する。これにより、復調補正部２０ｂで行われるビット操作の内容が復調補正部２０ａに適用される。以上の処理が終了すると、ステップＳ１２〜Ｓ１５に示す一連の処理が終了する。
【００４０】
これに対し、ステップＳ１６，Ｓ１７の一連の処理では、まず補正制御部５０によって、フレーム同期部３０ａからＩＦ状態を示す検出信号Ｓ１が出力されたか否かが判断される（ステップＳ１６）。この判断結果が「ＮＯ」である場合にはステップＳ１６の判断が繰り返される。他方、フレーム同期部３０ａからＩＦ状態を示す検出信号Ｓ１が出力されると、ステップＳ１６の判断結果は「ＹＥＳ」になり、補正制御部５０によって復調補正部２０ａで行われるビット操作の内容を復調補正部２０ｂに適用する制御が行われる（ステップＳ１７）。
【００４１】
具体的には、補正制御部５０から復調補正部２０ｂに出力されている制御信号Ｃ２１〜Ｃ２３を、補正制御部５０から復調補正部２０ａに出力されている制御信号Ｃ１１〜Ｃ１３と同じにする。例えば、補正制御部５０から復調補正部２０ａに対して２つの制御信号Ｃ１１，Ｃ１３が出力されている場合には、補正制御部５０から復調補正部２０ｂに対しても２つの制御信号Ｃ２１，Ｃ２３を出力する。これにより、復調補正部２０ａで行われるビット操作の内容が復調補正部２０ｂに適用される。以上の処理が終了すると、ステップＳ１２〜Ｓ１５に示す一連の処理が終了する。
【００４２】
以上説明したステップＳ１５の処理によって復調補正部２０ａに適用されるビット操作の内容は、フレーム同期検出部３０ｂでＩＦ状態の検出信号Ｓ２が得られるときに復調補正部２０ｂで行われたビット操作である。このため、ステップＳ１５の処理が行われることで、その後フレーム同期検出部３０ａからもＩＦ状態の検出信号Ｓ１が出力されることになる。また、ステップＳ１７の処理によって復調補正部２０ｂに適用されるビット操作の内容は、フレーム同期部３０ａでＩＦ状態の検出信号Ｓ１が得られるときに復調補正部２０ａで行われたビット操作である。このため、ステップＳ１７の処理が行われることで、その後フレーム同期検出部３０ｂからもＩＦ状態の検出信号Ｓ２が出力されることになる。
【００４３】
以上説明したステップＳ１２〜Ｓ１５に示す一連の処理と、ステップＳ１６，Ｓ１７に示す一連の処理とは並行して行われる訳であるが、ステップＳ１５及びステップＳ１７に示す処理の何れか一方が行われると図２に示す処理は終了する。尚、光信号解析装置１の動作中は、補正制御部５０によって図２に示す処理が繰り返される。
【００４４】
図３は、ＤＵＴ６０からＯＯＦパターンが変調データＬ１として出力された場合の光信号解析装置１の動作を説明するための図である。図３に示す通り、時刻ｔ１〜ｔ２においてＤＵＴ６０からＯＯＦパターンが変調データＬ１として出力されるとする。尚、時刻ｔ１よりも前の時点、又は時刻ｔ２よりも後の時点においては、フレーム同期部３０ａ又はフレーム同期検出部３０ｂでＩＦ状態になり得るフレームパターン（ＩＦパターン）が変調データＬ１としてＤＵＴ６０から出力されるものとする。尚、以下の説明では、制御信号Ｃ１１〜Ｃ１３の組み合わせが「ＣＢ１」に設定されているときにフレーム同期部３０ａがＩＦ状態になり、制御信号Ｃ２１〜Ｃ２３の組み合わせが「ＣＢ１」に設定されているときにフレーム同期検出部３０ｂがＩＦ状態になるものとする。
【００４５】
時刻ｔ１よりも前の時点では、ＩＦパターンが変調信号Ｌ１として出力されており、制御信号Ｃ１１〜Ｃ１３の組み合わせ及び制御信号Ｃ２１〜Ｃ２３の組み合わせが共に「ＣＢ１」に設定されている。このため、フレーム同期部３０ａ及びフレーム同期検出部３０ｂからはＩＦ状態を示す検出信号Ｓ１，Ｓ２がそれぞれ出力される。次に、時刻ｔ１になると、ＤＵＴ６０からＯＯＦパターンが変調信号Ｌ１として出力される。すると、フレーム同期部３０ａ及びフレーム同期検出部３０ｂからはＯＯＦ状態を示す検出信号Ｓ１，Ｓ２がそれぞれ出力され、図２を用いて説明した制御が補正制御部５０で行われる。
【００４６】
つまり、ＯＯＦ状態を示す検出信号Ｓ１が一定時間Ｔ１の間継続される毎に、補正制御部５０によって制御信号Ｃ２１〜Ｃ２３の組み合わせが変更され、ＩＦ状態を示す検出信号Ｓ２が出力されたか否かが判断される（ステップＳ１２〜Ｓ１４）。また、これと並行して、ＩＦ状態を示す検出信号Ｓ２が出力されたか否かが判断される（ステップＳ１６）。以上の処理が行われると、図３に示す例では、制御信号Ｃ２１〜Ｃ２３の組み合わせが「ＣＢ１」，「ＣＢ２」，「ＣＢ３」，「ＣＢ４」の順で変更される。
【００４７】
次いで、時刻ｔ２でＤＵＴ６０からＩＦパターンが変調信号Ｌ１として出力されると、復調補正部２０ｂに対する制御信号Ｃ２１〜Ｃ２３の組み合わせは「ＣＢ４」であるためフレーム同期検出部３０ｂからはＩＦ状態の検出信号Ｓ２は出力されない。しかしながら、復調補正部２０ａに対する制御信号Ｃ１１〜Ｃ１３の組み合わせは、時刻ｔ１以前から変更されずに「ＣＢ１」のままであるため、フレーム同期検出部３０ａからはＩＦ状態の検出信号Ｓ１が出力される。すると、補正制御部５０の制御によって、復調補正部２０ａで行われるビット操作の内容が復調補正部２０ｂに適用される（時刻ｔ３）。これにより、フレーム同期検出部３０ｂからもＩＦ状態の検出信号Ｓ２が出力されることになる。
【００４８】
以上の通り、本実施形態では、フレーム同期部３０ａからＯＯＦ状態の検出信号Ｓ１が出力された場合に、復調補正部２０ａで行われるビット操作の内容を変更することなく復調補正部２０ｂで行われるビット操作の内容を変更している。そして、その後にフレーム同期部３０ａからＩＦ状態の検出信号Ｓ１が出力された場合には復調補正部２０ａのビット操作の内容を復調補正部２０ｂに適用する一方で、フレーム同期検出部３０ｂからＩＦ状態の検出信号Ｓ２が出力された場合には復調補正部２０ｂのビット操作の内容を復調補正部２０ａに適用する制御を行っている。かかる制御により、復調補正部２０ａで行われる復調データＤ１の補正内容が不用意に変更されることがないため、短時間で且つ正確に同期検出を行うことができる。
【００４９】
〔第２実施形態〕
図４は、本発明の第２実施形態による光信号解析装置の要部構成を示すブロック図である。図４に示す通り、本実施形態の光信号解析装置２は、図１に示すフレーム同期部３０ａ、フレーム同期検出部３０ｂ、及び測定部８０に代えて、エラー検出部７１ａ及び同期外れ検出部７２ａ（第１検出部）、エラー検出部７１ｂ及び同期外れ検出部７２ｂ（第２検出部）、並びに測定部８０を備えており、トランスポンダや終端装置等のＤＵＴ６１から出力される変調データＬ２（光信号）の解析を行う。
【００５０】
ここで、前述した第１実施形態の光信号解析装置１は、フレーム形式のデータであってＤＱＰＳＫ方式の変調が行われた変調データＬ１の解析を行う装置であった。これに対し、本実施形態の光信号解析装置２は、ＰＲＢＳ（PseudoRandom Binary bit Sequence：擬似乱数バイナリビットシーケンス）等のノンフレーム形式のビット列からなるデータであってＤＱＰＳＫ方式の変調が行われた変調データＬ２の解析を行う装置である。
【００５１】
また、図１に示す光信号解析装置１が備える復調補正部２０ａ，２０ｂからは非同期フレームデータＤ２，Ｄ３がそれぞれ出力されていたが、本実施形態では、変調データＬ２がノンフレーム形式のデータであるため、復調補正部２０ａ，２０ｂからはノンフレームデータＤ１１，Ｄ１２がそれぞれ出力される。エラー検出部７１ａ，７１ｂは、復調補正部２０ａ，２０ｂから出力されるノンフレームデータＤ１１，Ｄ１２のエラーレートをそれぞれ検出し、その検出結果を示すエラーレート信号Ｅ１，Ｅ２を同期外れ検出部７２ａ，７２ｂにそれぞれ出力する。尚、エラー検出部７１ａは、復調補正部２０ａから出力されるノンフレームデータＤ１１を測定部８０に出力する。
【００５２】
同期外れ検出部７２ａ，７２ｂは、エラー検出部７１ａ，７１ｂから出力されるエラーレート信号Ｅ１，Ｅ２で示されるエラーレートと予め設定された閾値とを比較することにより同期外れ（ｓｙｎｃｌｏｓｓ）が生じているか否かを検出する。具体的には、エラーレート信号Ｅ１，Ｅ２で示されるエラーレートが予め設定された閾値を越えている場合に、同期外れの検出を行う。同期外れ検出部７２ａ，７２ｂの検出結果は、検出信号Ｓ１，Ｓ２として補正制御部５０に入力される。測定部８０は、エラー検出部７１ａからのエラーレート信号Ｅ１及びノンフレームデータ、並びに同期外れ検出部７２ａからの検出信号Ｓ１を入力としており、同期外れが継続される時間の測定や、フレーム内におけるアラームやエラーの検出を行う。
【００５３】
以上の構成の光信号解析装置２においても、図２に示すフローチャートの処理と同様の処理が補正制御部５０で行われる。つまり、同期外れ検出部７２ａから同期外れを示す検出信号Ｓ１が出力された場合に、復調補正部２０ａで行われるビット操作の内容を変更することなく復調補正部２０ｂで行われるビット操作の内容を変更している。そして、その後に同期外れ検出部７２ａから同期がとれた旨を示す検出信号Ｓ１が出力された場合には復調補正部２０ａのビット操作の内容を復調補正部２０ｂに適用する一方で、同期外れ検出部７２ｂから同期がとれた旨を示す検出信号Ｓ２が出力された場合には復調補正部２０ｂのビット操作の内容を復調補正部２０ａに適用する制御が行われる。かかる制御により、復調補正部２０ａで行われる復調データＤ１の補正内容が不用意に変更されることがないため、短時間で且つ正確に同期検出を行うことができる。
【００５４】
以上、本発明の実施形態による光信号解析装置について説明したが、本発明は上記実施形態に制限されることなく、本発明の範囲内で自由に変更が可能である。例えば、上記実施形態では、ＤＱＰＳＫ方式の変調がなされた変調データＬ１，Ｌ２を解析する場合を例に挙げて説明したが、本発明は、ＤＱＰＳＫ方式で変調された変調データ以外にも、８値や１６値といった多値の変調がなされた変調データを解析する場合にも適用が可能である。
【図面の簡単な説明】
【００５５】
【図１】本発明の第１実施形態による光信号解析装置の要部構成を示すブロック図である。
【図２】本発明の第１実施形態による光信号解析装置１が備える補正制御部５０の動作を示すフローチャートである。
【図３】ＤＵＴ６０からＯＯＦパターンが変調データＬ１として出力された場合の光信号解析装置１の動作を説明するための図である。
【図４】本発明の第２実施形態による光信号解析装置の要部構成を示すブロック図である。
【図５】従来の光信号解析装置の要部構成を示すブロック図である。
【図６】従来の光信号解析装置において、ＩＦ状態になるまでに時間を要する理由を説明するための図である。
【符号の説明】
【００５６】
１，２            光信号解析装置
１０              トランスポンダ
２０ａ，２０ｂ    復調補正部
３０ａ            フレーム同期部
３０ｂ            フレーム同期検出部
４０              測定部
５０              補正制御部
７１ａ，７１ｂ    エラー検出部
７２ａ，７２ｂ    同期外れ検出部
８０              測定部
Ｄ１              復調データ
Ｄ２，Ｄ３        非同期フレームデータ
Ｄ１１，Ｄ１２    ノンフレームデータ
Ｌ１，Ｌ２        変調データ
Ｓ１，Ｓ２        検出信号
【図１】
0005146118.tif 000002
【図２】
0005146118.tif 000003
【図３】
0005146118.tif 000004
【図４】
0005146118.tif 000005
【図５】
0005146118.tif 000006
【図６】
0005146118.tif 000007